Podtech/llm-jp-corpus-v4-ja_patent huggingface dataset:
(57)【要約】      （修正有）【課題】電気柵におけるアースの設置の簡略化と電子牧柵用電源器の取り付けを併せて可能にする。【解決手段】大地に支柱３の差し込み空間をつくり、電子牧柵用電源器１の取り付け支柱を打ち込み、支柱を電源アースとする。【選択図】図１
2013000122.tif 000002
【特許請求の範囲】
【請求項１】
電子牧柵用電源器の取り付け支柱がアースとなる電子牧柵用電源器
【発明の詳細な説明】
【技術分野】
【０００１】  本発明は電子牧柵用電源器における不可欠なアース（−）もしくは（＋）回路の設置を簡単に取り付けることを可能にした電子牧柵用電源器に係るものである。
【背景技術】
【０００２】  現在は、電子牧柵用電源器（以後本器と言う）とは別にアースを設置している。
【発明の開示】
【発明が解決しようとする課題】
【０００３】アースの設置を簡単にし、移動も簡単にする。さらに本器の取り付けも簡単にする。
【課題を解決するための手段】
【０００４】  本器の構造に、本器を取り付ける支柱を差し込む空間を作り、そこに支柱を立てて差し込む。その支柱素材を道通性の有るものを使用することにより、丈夫な本器取り付け支柱をアースとして利用する。
【発明の効果】
【０００５】  本器を取り付けるとき必ずアースを設置するが、本器の取り付けで一番時間がかかって大変な作業は、アースの設置であった。また本器が倒れないよう丈夫な木支柱を設置するが、穴を掘る作業など、高齢者など重労働で有った。
支柱は打ち込むだけで設置出来、二本使用するのでくるくる回ることもない。
本器の重量で安定し、設置が非常に簡単で、移動も簡単にできる。
【発明を実施するための最良の形態】
【０００６】本器の形状に支柱を、差し込む構造を要し、そこに支柱を差し込み、本器のアース端子もしくは回路と支柱を接続する。
【図面の簡単な説明】
【０００７】
【図１】  本器を設置した時の状態
【符号の説明】
【０００８】１      電子牧柵用電源器
２      支柱挿入部
３      支柱
４      電線
【図１】
2013000122.tif 000003
(57)【要約】      （修正有）【課題】簡単に、素早く、誰でもおいしい料理の味付けができる調味料を提供する。【解決手段】種々のハーブ粉末と塩を調合する前に、蒸気蒸留器で抽出したバーブエキスを塩と混合し、水分を飛ばし、別に水で煮詰めておいたハーブのスープを混合することで、塩だけでも風味や香りを持つようにする。さらに種々のハーブを調合した粉末を加えることで、塩味を調節するだけで、簡単に料理の味付けができてしまうハーブ塩。【選択図】図１
2013000123.tif 000002
【特許請求の範囲】
【請求項１】
蒸気蒸留器で抽出したバーブエキスと、別に水で煮詰めたハーブのスープを混ぜ込んだ塩を主成分とすることを特徴とする。
【請求項２】
少なくとも、ニンニク、バジル、ペパーミントなど種々のバーブ粉末を２種類以上含むことを特徴とする。
【発明の詳細な説明】
【技術分野】
【０００１】  この発明は、食品用の調味料に関する。
【背景技術】
【０００２】  料理をおいしい味付けにするのは、料理の得意な人でなければ、なかなか難しい。料理の得意な人であっても、時間のないときにはさっと一振りするだけで本格的な味付けにしたいと考える人が多い。
【発明が解決しようとする課題】
【０００５】  短時間で簡単に、レストランの様な料理を食べたい。でも、時間をかけることができない人や味付けが苦手な人が多い。
そこで、この発明は、簡単に、素早く、誰でもおいしい料理の味付けができる調味料を提供することを課題とする。
また、これまでも塩に香辛料や調味料の粉末を調合しただけの商品はあったが、風味や塩味以外のうま味が足りなかった。
【課題を解決するための手段】
【０００６】種々のハーブ粉末と塩を調合する前に、図１に示した蒸気蒸留器で抽出したバーブエキスを塩と混合し、水分を飛ばし、別に水で煮詰めておいたハーブのスープを混合しすることで、塩だけでも風味や香りを持つようにし、さらに種々のハーブを調合した粉末を加えることで、塩味を調節するだけで、簡単に料理の味付けができてしまうハーブ塩を開発した。
【発明の効果】
【０００７】  第一発明によれば、様々な調味料の分量を量り取る手間をかけなくても、塩味を調節するだけで、その他の味や香りのバランスが取れてしまう。
【図１】
2013000123.tif 000003
【手続補正書】
【提出日】平成23年11月17日(2011.11.17)
【手続補正１】
【補正対象書類名】明細書
【補正対象項目名】全文
【補正方法】変更
【補正の内容】
【発明の詳細な説明】
【技術分野】
【０００１】この発明は、食品用の調味料に関する。
【背景技術】
【０００２】料理をおいしい味付けにするのは、料理の得意な人でなければ、なかなか難しい。
料理の得意な人であっても、時間のないときにはさっと一振りするだけで本格的な味付けにしたいと考える人が多い。
【発明が解決しようとする課題】
【０００５】短時間で簡単に、レストランの様な料理を食べたい。でも、時間をかけることができない人や味付けが苦手な人が多い。
そこで、この発明は、簡単に、素早く、誰でもおいしい料理の味付けができる調味料を提供することを課題とする。
また、これまでも塩に香辛料や調味料の粉末を調合しただけの商品はあったが、風味や塩味以外のうま味が足りなかった。
【課題を解決するための手段】
【０００６】種々のハーブ粉末と塩を調合する前に、図１に示した蒸気蒸留器で抽出したバーブエキスを塩と混合し、水分を飛ばし、別に水で煮詰めておいたハーブのスープを混合しすることで、塩だけでも風味や香りを持つようにし、さらに種々のハーブを調合した粉末を加えることで、塩味を調節するだけで、簡単に料理の味付けができてしまうハーブ塩を開発した。
【発明の効果】
【０００７】第一発明によれば、様々な調味料の分量を量り取る手間をかけなくても、塩味を調節するだけで、その他の味や香りのバランスが取れてしまう。
【図面の簡単な説明】
【０００８】
【図１】ハーブエキスの抽出を表す立面図  水蒸気蒸留器に水やその他の溶媒とエキスを抽出したいハーブ等を入れる。そこへ熱源から熱を加えることで、蒸気を発生させる。この蒸気と蒸気に含まれる香りなどの成分を冷却し、凝縮することでエキスが得られる。この凝縮エキスを使用する。
(57)【要約】【課題】従来の食害防止器具や風鈴等は、一定の同じ音や光を定期的に発生するものですが、野生動物、鳥等は、防衛に対しての学習能力が優れているので、早々に安全を学習確認して、進入して食害している。【解決手段】つり枠２に振り子３を吊り下げてその下部に風受け部材４を吊り下げた風鈴型の食害防止器具で、紐等１を利用して、立ち木の枝や柵等に、取り付け、移動、撤去が簡単に出来ることで、野生動物からの食害を防止する。器具に夜行塗料や夜行テープ等をつける事で、夜間でも効果がでる。【選択図】図１
2013000124.tif 000002
【特許請求の範囲】
【請求項１】
つり枠２に振り子３を吊り下げて、その下部に風受け部材４を取り付けした風鈴型です、紐等１を利用して、立ち木の枝や柵等に簡単に、取り付け、移動、撤去が出来る、風鈴型の食害防止器具。
【発明の詳細な説明】
【技術分野】
【０００１】本発明は、野菜、花、果物、草木等を、野生動物の食害を防止する食害防止器具に関する。
【背景技術】
【０００２】食害防止器具として、一定の音や光を出すもの、電線による防止柵、花火、すずらんテープ、風鈴、案山子等がある、同じ音や光で繰り返して防止する器具等ですが、野生動物、鳥等は、防衛に対しての学習能力が優れていることを考慮していなのが現状である。一定の同じ音や光の繰り返しでは、早々に、野生動物、鳥等は、安全を学習し侵入して食害しているが現状である。
【先行技術文献】
【特許文献】
【０００３】
【特許文献１】特開２００８−２５９４６１  公報
【発明の概要】
【発明が解決しようとする課題】
【０００４】従来の食害防止器具や風鈴等は、一定の同じ音や光を定期的に発生するものですが、野生動物、鳥等は防衛に対しての学習能力が優れているので、早々に安全を学習確認して、進入して食害している。特に鹿の食害は甚大である。
【課題を解決しょうとする手段】
【０００５】本発明は、つり枠２に振り子３を吊り下げてその下部に風受け部材４を吊り下げた風鈴型である、紐等１を利用して、立ち木の枝や柵等に簡単に、取り付け、移動、撤去が出来ることで、野生動物から食害を防止する風鈴型の食害防止器具。
【発明の効果】
【０００６】本発明は、風鈴型にした食害防止器具で、設置場所に取り付け、移動、撤去等が簡単にできるので、野生動物の学習能力に対抗できる、製作も比較的安くでき、つり枠２、振り子３、風受け部材４の材料は限  定しないので、いろいろな材料の組み合わせで製作でき、材料の組み合わせで、音、光の違う風鈴型の食害防止器具ができる、野生動物の学習能力に対抗できる、自然の風の力や、触る事で、２のつり枠と３の振り子がさわるので、いろいろの音が発生する事と、４の風受け部材がゆれる事で、方向の定まらない反射光がでる事で、野生動物は安全確認に時間がかかりすぎるので、不安に感じて、設置場所に近寄らなくなるので、食害の防止になる、単品でも使えるが、つり枠のフックを利用して、つなげる事で広い場所にも使える。
【図面の簡単な説明】
【０００７】
【図１】本発明の部分断面図
【図２】本発明品を立ち木等に吊り下げた状態の説明図。
【図３】本発明品を野菜、果物等の畑等の中に支柱を立て、吊り下げた状態の説明図。
【図４】本発明品を柵等に吊り下げた状態の説明図。
【発明を実施するための形態】
【０００８】以下、本発明の実施の形態を図１〜図４に基づいて説明する。
【０００９】図１において、２はつり枠で、材質、形は限定しない、同じ材料でもよいが同じ材料で厚さを変えるとか、ちがう材料を組合わせてもよい、ボックス型として、下をオープンにする、外側にフック等を付けて連結できる様にする。３はつり枠の中に吊り下げる振り子で、材質は限定しない、形は異型するか、つり枠に当たる箇所に爪等を付けて、不均等に当たる様にする。４は振り子の下に吊り下げる風受け部材で、材質、形は限定しない、連結して数枚取り付けして、不均等にゆれる様にする。１は吊り下げる紐等である、本発明品は風鈴型になるので、立ち木の枝や柵等に、簡単に取り付け、移動、撤去等ができる形状である。
【００１０】図２〜図４は、本発明の使用例である。
【符号の説明】
【００１１】１  吊り下げる紐
２  つり枠
３  振り子
４  風除け部材
【図１】
2013000124.tif 000003
【図２】
2013000124.tif 000004
【図３】
2013000124.tif 000005
【図４】
2013000124.tif 000006
(57)【要約】      （修正有）【課題】ホコリ・ダニ・パン屑等の汚れは、白色に近い色であるため、従来の白色の清掃用シートでは、ホコリ等が付着しても目立ちにくく、シートがどの程度汚れているのかが分かりにくかった。ホコリ等の付着が目立つことにより、交換時が明らかになる清掃用シートを提供すること。【解決手段】清掃用シ−トを黒、グレー、紺、紫、茶等の濃い色にすることにより、ホコリ等の付着を目立たせることができる。それにより掃除用シートの交換時が明らかになるから、衛生的である。【選択図】図１
2013000559.tif 000002
【特許請求の範囲】
【請求項１】
網状又は凹凸処理を施したもの、又はこれらの処理を施していない不織布で、黒、グレー、紺、紫、茶等の濃い色を特徴とする清掃用シート。
【発明の詳細な説明】
【技術分野】
【０００１】  本発明は、床面等の清掃に主に用いられるものであるが、折りたたんで家具等の拭き掃除にも使用できる清掃用シートに関するものである。
【背景技術】
【０００２】  様々な種類の不織布製の掃除用シートがあるが、従来の清掃用シートは着色されていない白色の不織布である。【０００３】  白色の清掃用シートでは、ホコリ・ダニ・パン屑等の汚れがどの程度付着しているのかがわかりにくかった。
【発明が解決しようとする課題】
【０００４】  ホコリ・ダニ・パン屑等の汚れは、白色に近い色であるため、従来の白色の清掃用シートでは、ホコリ等が付着しても目立ちにくく、シートがどの程度汚れているのかが分かりにくかった。そのため、ホコリ等が付着しているにもかかわらず、これを余り汚れていないものと誤信して使用し続けてしまうことがあり、不衛生であり、問題があった。
【課題を解決するための手段】
【０００５】  本発明は、このような従来の問題を解決しようとするもので、清掃用シートを黒、グレー、紺、紫、茶等の濃い色にすることにより、ホコリ等の付着を目立たせ、それによって掃除用シートの交換時を明らかにするというものである。
【０００６】  清掃用シートを黒、グレー、紺、紫、茶等の色にするためには、着色された線維で清掃用シートである不織布を作成することや、清掃用シートである不織布を着色することなどの方法がある。
【発明の効果】
【０００７】  本発明によれば、ホコリ等の付着が見えやすいため、シートに汚れが付着したまま拭き掃除を続けてしてしまうということがなくなり、衛生的である。
【図面の簡単な説明】
【図１】本発明の着色清掃用シートの一例を示す表面図
【図１】
2013000559.tif 000003
(57)【要約】【課題】従来のパルセーター式の洗濯機は固定羽根を配列した所謂パルセーターを洗濯槽の底部で回転させて洗濯する方式であった。このような固定した羽根は洗濯物を強制的に回転させるために、衣類のねじれが激しくて、衣類を損傷する課題があった。【解決手段】本発明はこの従来の課題を解決するために、パルセーターの羽根を回転ローラーにし、この回転ローラーの形状はパルセーターの外周方向に向かって径が大きくなるテーパーローラーにし、または、そろばん玉を並べた形状のローラーとしたことにより、衣類の損傷を少なくし、しかも、洗浄効果のよい洗濯機が提供できる。【選択図】図３
2013000558.tif 000002
【特許請求の範囲】
【請求項１】
パルセーター式の洗濯機において、所謂、パルセーターの羽根の形状を回転ローラーにし、この回転ローラーを複数個配列し、このパルセーターの羽根の形状は外周方向に向かって径が大きくなるテーパーローラー、または、そろばん玉を並べた形状のローラーとしたことを特徴とする洗濯機。
【発明の詳細な説明】
【技術分野】
【０００１】  本発明は所謂パルセーター式洗濯機において、パルセーターを改良した洗濯機に関するものである。
【背景技術】
【０００２】  従来の所謂パルセーター式洗濯機のパルセーターの羽根は固定した羽根であり、この固定した羽根で洗濯衣類を強制的に回転攪拌するため、洗濯衣類のねじれや損傷が大きい洗濯方法であった。
【先行技術文献】
【特許文献】
【０００３】
【特許文献１】特開２００３−２１０８９２
【特許文献２】特開２００３−０１９３８８
【特許文献３】特開平１１−３１９３６３
【特許文献４】特開平１１−２７６７５５
【発明の概要】
【発明が解決しようとする課題】
【０００４】  即ち、従来の固定した羽根のパルセーターは衣類を強制的に攪拌するので、衣類のねじれが激しく、衣類が損傷する課題があった。
【課題を解決するための手段】
【０００５】  本発明は、この従来の課題を解決するために、パルセーターの羽根を複数の回転自在の回転ローラーにし、この回転ローラーの形状はパルセーターの外周方向に向かって径が大きくなるテーパーローラーとし、または、そろばん玉を並べた形状のローラーとしたことを特徴とする洗濯機である。
【発明の効果】
【０００６】  パルセーターの羽根を回転自在の回転ローラーとしたことにより、洗濯衣類のねじれが少なくなり、衣類を損傷することが少なくなる効果がある。しかも、パルセーターの外周方向に向かって径を大きくした形状のテーパーローラーの羽根は衣類を無理なく攪拌するので、従来の固定した羽根のパルセーターに比べて、よじれが少なくなる効果がある。また、そろばん玉を並べた形状のローラーにすると、衣類に与える機械力が大きくなり、よじれが少なく、しかも衣類の洗浄が向上するなどの効果を発揮する。
【図面の簡単な説明】
【０００７】
【図１】本発明の洗濯機の断面図である。
【図２】回転ローラーを備えたパルセーターの一実施例図である。
【図３】回転ローラーを備えたパルセーターの他の実施例図である。
【発明を実施するための形態】
【０００８】  次に、本発明を実施するための形態について実施例を図１〜図３ついて説明する。
【０００９】  図１において、１は本発明の洗濯機本体、２は小穴が多数あけた洗濯兼脱水槽、３は脱水を受ける外槽である。４は本発明の洗濯機のパルセーターで、羽根の形状は複数の回転自在のローラーである。５は前記の外槽３を防振的に支持するサスペンションである。６は前記のパルセーター４と洗濯兼脱水槽２を回転させるモーター機構部（詳細省略）である。７はローラーの回転軸である。
【００１０】  図２の４‘  は本発明洗濯機のパルセーターの一実施例で、パルセーターの外周方向に向かって径を大きくしたテーパーローラーの羽根を備えたパルセーターである。
【００１１】  図３の４“  はパルセーターの他の実施例で、そろばん玉を並べた形状のローラー羽根を備えたパルセーターである。
【００１２】  以下、上記構成の動作を説明する。本発明洗濯機のパルセーターが左右に回転駆動されると、図３、図４の矢印に示すように、回転自在のローラー羽根はくるくると回転して衣類を洗濯する。回転自在のローラー羽根は衣類を強制的に攪拌することがないので、よじれの少ない洗濯ができる。実施例４‘  のパルセーターはローラー羽根の形状をパルセーターの外周方向に向かって径を大きくした形状のテーパーローラーにしたことにより、パルセーターの内径部ではローラーの回転径が小さく、外径部ではローラーの回転径が大きくなっているので、衣類はよじれることなく、スムーズに攪拌されて洗濯される。他の実施例４“  のパルセーターのローラーはそろばん玉を並べた形状のもので、洗濯衣類に与える機械力が大きくなり、よじれが少なく、しかも、洗濯効果が多大になる効果のあるパルセーターである。
【産業上の利用可能性】
【００１３】  本発明は洗濯機のパルセーターの改良に関するものであるが、食品の混合、攪拌、食品加工機器などにも応用できる。
【符号の説明】
【００１４】１    洗濯機本体
２    洗濯兼脱水槽
３    外槽
４    パルセーター
４‘  テーパーローラー羽根を備えたパルセーター
４“  そろばん玉を並べた形状のローラー羽根を備えたパルセーター
５    サスペンション
６    モーター機構部
７    ローラーの回転軸
【図１】
2013000558.tif 000003
【図２】
2013000558.tif 000004
【図３】
2013000558.tif 000005
(57)【要約】      （修正有）【課題】繊細な観葉植物の周囲、立て込んだ木々の間、砂利の上、濡れてこびりついたごみなど、様々な状態の場面において、スムースに清掃できる庭箒の提供。【解決手段】束ね合わせたシダ５の上に、柔軟且弾力のある材質で構成され、熊手支柱１に接続する熊手支柱連携部を装着し、該熊手支柱連携部と前記束ね合わせたシダ５の一端とを共に収納するようにまとめ収めカバー４にセットし、該まとめ収めカバー４を柄３に取り付ける。【選択図】図１
2013000551.tif 000002
【特許請求の範囲】
【請求項１】
柄（３）の下まとめ収めカバー（４）の中にシダ（５）を並べ、その上に熊手支柱連携部（２）と続く熊手支柱（１）を設けた楽々庭箒。
【発明の詳細な説明】
【技術分野】
【０００１】本考案は、庭を掃く際に用いる楽々庭箒に関するものである。
【背景技術】
【０００２】従来、庭を掃く際に竹箒、シダ箒、熊手等があった。
【発明の概要】
【発明が解決しようとする課題】
【０００３】そのため、次のような問題点があった。
主に落ち葉掃きとなるが、広い場所の場合、熊手又は竹箒、最後にシダ箒などで終わる。しかし、繊細な観葉植物等の周囲、木々の間、砂利の上など思うように進められないこともある。また、濡れてこびりついたものもあり、スムースにはかどらないことである。
各家庭の庭掃除にも同様な事が起きる。【０００４】本考案は、上記事情に鑑みて試されたもので、庭を掃く際にこの楽々庭箒にてスム−スに終えることができる。
【課題を解決するための手段】
【０００５】前記目的を達成するために、請求項１に記載の楽々庭箒は、シダ等に熊手作用となる支柱を設けたことを特徴とする。【０００６】細かいごみ等を浚う作用のシダ箒の前面に、濡れ落ち葉等を掻き寄せる熊手作用により、スムースに庭掃除が行える。【０００７】シダ等の柔らかな箒の前面に合成ゴムまた、シリコン等の柔軟且弾力もある材質による熊手形状主柱により、砂利の上は勿論観葉植物の間、立て込んだ木々の間、また敷石に濡れてこびりついたものも、楽々掃き集めることができる。【０００８】本考案の楽々庭箒は、掻き集める作用、掃く作用の効用により、様々な状態の場面において、スムースに清掃が行える。
【図面の簡単な説明】
【０００９】
【図１】本考案の実施の形態に係る楽々庭箒であって、表面図である。
【図２】同、熊手支柱斜視図の一部である。
【発明を実施するための形態】
【００１０】以下、本考案の実施の形態を図面を参照して説明する。
図１および図２に示すように、本考案の実施の形態に係る楽々庭箒は、柄の下まとめ収めカバー（４）の中にシダ（５）を並べ、その上に熊手主柱連携部（２）を重ねシダ（５）と共にまとめ収めカバー（４）にセットする。
【００１１】図２の熊手主柱（１）の斜視図は、合成ゴム又はシリコン等の柔軟かつ弾力に富んだ材質にて作られる。また、巾や本数も限られたことでないが、小は大を兼ねるともなる。
【符号の説明】
【００１２】１    熊手主柱
２    熊手主柱連携部
３    柄
４    まとめ収めカハー
５    シダ
【図１】
2013000551.tif 000003
【図２】
2013000551.tif 000004
(57)【要約】      （修正有）【課題】鑑賞用としての人形形態に実用としての酒器セットを兼備にする。【解決手段】上半身部を胸像とし、中央下半身部を実用徳利に、又台座部を箸置き兼実用杯として上中下嵌合の銅像風置物を特徴とする。【選択図】図３
2013000560.tif 000002
【特許請求の範囲】
【請求項１】
本発明は侍像酒器セットとして、上半身部と下半身部と台座部を嵌合した３部載合形式であり、人形置物としての一体感を保持し、分離すれば部材毎、酒器としての機能を具備した侍酒器セット。
【請求項２】
本発明は上半身部胸像と下半身部は袴型徳利を接合し、台座部には大盃を置くことで銅像風の置き人形を構成する。胸像人物は歴史上人物に限らない。上半身像が持つ杯は市販規模であり、背部の左右には窪み箇所を設ける。下半身部は一例としての袴型徳利であり、着流しも可能。台座部大盃は逆置き状態での切欠凹部を箸置きとして使用。該侍酒器セットの大きさは１０センチ前後から製作でき、素材も陶器に限らず樹脂、石膏、ガラス、木彫り等での土産品化も可能。
【発明の詳細な説明】
【技術分野】
【０００１】本発明は人物胸像上半身部が持つ実用容器と下半身部及び台座形態の容器部材との嵌合による侍酒器セットに関するものである。
【背景技術】
【０００２】従来、人形徳利は考案されているが、形態としての不完全さや安易さも感じる。
本発明のような上半身胸像と下半身容器との載合離脱による人形像形態の構成は見当たらなかった。
【先行技術文献】
【特許文献】
【０００３】公開実用昭和５９−８１４７５号【０００４】
【特許文献１】特開２００３−２７５０８３
【発明の概要】
【発明が解決しようとする課題】
【０００５】公開実用  昭和５９−８１４７５号は、頭部に工夫がなされているが、酒の注出のみの瓶的発想であり徳利としての再注入が困難である。
特開２００３−２７５０８３は、図柄を単純に表面に描いたのみの酒器である為、人形としての存在感に乏しい。
【課題を解決するための手段】
【０００６】本発明は上半身部と下半身部と台座部を嵌合した３部載合形式にして、人形置物としての一体感を保持し、分離すれば部材毎、酒器容器としての機能を具備する。
人形外観を損なわずに置物として使用し、酒器が必要時は上下分離により、侍胸像部は安定した柄付き小杯になり、手を添えなくとも酒を注入し得る容易性が可能となる。又酒類に限らず下半身部及び台座部は湯呑やカップに置き換えて重合させ、内容物を代えての応用も容易である。
上半身像が持つ杯は市販規模であり、背部の左右に窪み箇所を設けることで、人形ごと持ち上げ易くなる。下半身部は一例としての袴型徳利であり、着流しも可能。台座部大盃は逆置き状態での切欠け凹部を箸置きとして使用。
【発明の効果】
【０００７】平常時は置物として飾り、酒器容器として使用の必要時には上半身背部には指摘まみ箇所としての窪みを利用する。それにより酒を注ぐ方も注がれる方も安定した状態の杯に注酒出来る。又袴型徳利は湯又は電子レンジで温める事が出来る。
台座型大杯は豪快気分で飲め、遊び心でより侍ムードが堪能できる。
使用し無い時は伏せて箸置きに代用可能である。
【図面の簡単な説明】
【０００８】
【図１】本発明の立像のみの正面及び背面図である。
【図２】本発明の斜視図である
【図３】本発明の縦断面図である。
【図４】本発明の背面摘まみ箇所と（Ｃ）台座の使用図（Ｄ）である。
【発明を実施するための形態】
【０００９】台座型大盃部の上に実用型徳利部を載合し、その上に侍胸像部を覆合し得る構造である。該３部体の接合離脱により酒器セットとしての実用をなし、又人形置物としての形態も構成する。
【実施例】
【００１０】本発明の実施の形態を説明する。
主に酒器セットとしての使用である場合、湯燗にした際、下半身徳利に上半身部を載合すれば、重石効果で倒れ防止にもなり、保温効果にもなる。又、相手が酒を注ぐ際は上半身胸像部の小杯は安定している状態であるから注ぎ易いし、持ち上げる際も背部の窪みが柄の代用になる。
先ず、上半身胸像部分を外し置き、下半身部分の徳利に酒を注入し、湯又は電子レンジで温めたら、置き状態の上半身胸像が持つ小杯に注ぐ。飲酒する場合は胸像の背部に有する左右の窪みに親指と一指し指を入れて持ち揚げる。又、伏せ置き状態の台座型大盃底部の縁辺窪み部分は箸置き用としても使用可能であると共に飲酒用としても使用でさる。酒類を密封しての販売も可能である。
【産業上の利用可能性】
【００１１】侍はＳＡＭＵＲＡＩとしての用語で海外外国人には日本文化の一端として既知されており侍に憧れる外人も多い。侍気分を楽しみたい武術趣味の酒好き人種にも好評である。
お土産品としてや観光ＰＲ手段や効果も期待できる。
例えば、日本各地にある有名歴史上人物の銅像を上半身のみ製作して下半身容器と嵌合し、ご当地民芸品としても有効である。又、和装の男女像なら袴や着流しスタイルも可能である。
【符号の説明】
【００１２】１［図１］（Ａ）立身正面図  （Ｂ）背面図
２［図２］（ａ）上半身像  （ｂ）袴型徳利  （ｃ）凹付き大杯
３［図３］（ａ）左側面図  （ｂ）左側断面図  （ｃ）同合体断面図
４［図４］（Ｃ）背部摘まみ箇所  （Ｄ）箸置き大杯使用図
【図１】
2013000560.tif 000003
【図２】
2013000560.tif 000004
【図３】
2013000560.tif 000005
【図４】
2013000560.tif 000006
(57)【要約】      （修正有）【課題】浴槽内に入れる水の量が少なくても一定量の水位になり、沸かす時間が短くなり、水道料金と燃料費を節約できる小燃費浮き袋を提供する。【解決手段】浴槽１内の空間スペースに風呂用小燃費浮き袋２とおもり３を入れて、所定の位置に風呂用小燃費浮き袋２に備えた調整ロープ５をおもり３の固定ストッパ４に括りつける。水を入れると風呂用消燃費浮き袋２・おもり３・調整ロープ５・固定ストッパ４の体積分の水の量が少なくてすむ。【選択図】図１
2013000574.tif 000002
【特許請求の範囲】
【請求項１】
図１のように浴槽１内の空間スペースに風呂用小燃費浮き袋２と（おもり３）を入れて、（おもり３）は固定ストッパと一体になっており風呂用小燃費浮き袋２と調整ロープ５水も一体となっている。水に浮かないように風呂用小燃費浮き袋２と（おもり３）の間を調整ロープ５で固定ストッパ４に括りつける。そこに水を入れると風呂用消燃費浮き袋２・（おもり３）・調整ロープ５・固定ストッパ４の体積分の水の量が少なくても一定量の水位になるようにした。
【発明の詳細な説明】
【技術分野】
【０００１】  本発明は、浴槽内に入れる水の量は少なくても一定量の水位になり、沸かす時間が短くなり水道料金と燃料費の節約になる。
【背景技術】
【０００２】  従来は、浴槽内に水を一定量入れていたため、水の量が多く沸かす時間も長くなり燃料も多く消費されていた。
【発明の開示】
【発明が解決しようとする課題】
【０００３】  浴槽内の水の水量が多いため沸かす時間は長くかかり、水道料金、燃料費が多く掛っていたことを課題とする。
【問題を解決するための手段】
【０００４】  請求項１の発明は、図１のように浴槽１内の空間スペースに風呂用小燃費浮き袋２と（おもり３）を入れて、水に浮かないように風呂用小燃費浮き袋２と（おもり３）を調整ロープ５で固定ストッパ４に括りつける。そこに水を入れると風呂用消燃費浮き袋２・（おもり３）・調整ロープ５・固定ストッパ４の体積分の水の量が少なくても一定量の水位になる。水の量が少ないと水道料金の節約と沸かす時間が短くなると燃料消費にもなる。
【発明の効果】
【０００５】  浴槽に一定量の水を張るのに時間は早く水量は少ない。その水を沸かす時間は早く燃料も少なくなり水道料金と燃料代の節約にもなる。
【発明を実施するための最良の形態】
【０００６】  図１は、浴槽１内の空間スペースに風呂用小燃費浮き袋２と（おもり３）を入れて、水に浮かないように風呂用小燃費浮き袋２と（おもり３）の間を調整ロープ５で固定ストッパ４に括りつける。そこに水を入れると風呂用消燃費浮き袋２・（おもり３）・調整ロープ５・固定ストッパ４の体積分の水の量が少なくても一定量の水位になる。
【産業上の利用可能性】
【０００７】  本発明に係る風呂用消燃費浮き袋は、工業的に量産する事が可能であるため、産業上の利用可能性を有する。
【図面の簡単な説明】
【０００８】
【図１】  浴槽内に風呂用消燃費浮き袋を装着した断面図
【図２】  浴槽内に風呂用消燃費浮き袋を装着した横図
【符号の説明】
【０００９】  １  浴槽
２  風呂用小燃費浮き袋
３  おもり
４  固定用ストッパ
５  調整ロープ
【図１】
2013000574.tif 000003
【図２】
2013000574.tif 000004
(57)【要約】【課題】本発明は和服を着た際に簡単に装着できるとともに、見栄えがして、審美側面にも優れた和装用装身具を提供する。【解決手段】本発明は着物を着る時に着物の胸元、閉めた後の帯本体の胴部及び太鼓部間、帯の結び目の上部などに装飾布台を差し込むことにより、露出部分が服でいうところのブローチのように装飾的効果を高め、和服を見栄えがして審美的側面にも優れた和装用装身具を提供する。【選択図】図１
2013000572.tif 000002
【特許請求の範囲】
【請求項１】
多角形または丸形、など板状にされた芯板で構成されたものと、芯板を包む布などの袋型縫製に適した素材で袋型に縫製したものと、上部正面部に装飾部材を用いたものを含んで和服用装身具とする。芯板の材料としては、紙製品、プラスチックなどの化学製品、木材や、石などの芯になり得るで、あろう素材を和服との効果の上、選択し、使用する。
【請求項２】
上部正面に配置する上部正面装飾部材の材料としては、造花及び自然素材、プラスチック製品などの化学性装飾製品、ガラス、金属製品、宝石、布製品、あらゆる不織素材、タッセル、リボン等、いろいろな素材を使用し、華やかにかつ、きらびやかな装飾を施したものを、和服用装身具とする。本発明は、着物や帯の背面、胸元、などに差し込んで使用しており、帯の背面および結び目と着物の間に差し込んで飾る。
【発明の詳細な説明】
【技術分野】
【０００１】本発明は和服を着た際、胸部、襟元や帯の装身具に関するものである。
【背景技術】
【０００２】和服の胸元や帯に華やかさに欠けているものであった。
【発明の概要】
【発明が解決しようとする課題】
【０００３】和服の胸元や帯を華やかにするため、着物の胸部、衿回り及び結び目の間に挟み込み、使用する和装装身具小物が存在しなかった。道具そのものがないため、髪飾りを代用して使用したりして胸部、衿回りを装飾していた。
【課題を解決するための手段】
【０００４】本発明は、和服を着用の際、着物や帯の胸元に差し込んで使用しており、帯の背面および結び目と着物の間に差し込んで使用する和服専用の装身具である。
【発明の効果】
【０００５】和服の胸元や帯に華やかに装飾を施すことになる。
【図面の簡単な説明】
【０００６】
【図１】本発明を示した正面図である。
【図２】本発明を示した一部断面図である。
【図３】本発明を示した実施図例である。
【図４】本発明を示した実施図例である。
【発明を実施するための形態】
【０００７】［図１］は、四角形の芯板で構成された和服用装身具小物の一例である。
【０００８】［図２］は、［図１］の四角形芯板で構成された和装用装身具小物の切断図の一例である。
【０００９】本発明である、和服用装身具小物の、和服の重なる胸元、帯と着物の間、帯と帯の間、帯の結び目に差し込み装着し、華やか、可愛らしさを小物により強調をする。
【００１０】本発明である、和服用装身具小物を和服の重なる胸元（図４正面図  １４）、帯と着物の間（図４正面図  １２、１３）、帯と帯の間（図４正面図  １５）、帯の結び目（図３  １１）に差し込み装着。
【００１１】［図３］、［図４］、は、［図１］の四角形芯板で構成された和装用装身具小物の実施図例である。
【００１２】本発明は、和服用装身具小物を和服の重なる胸元、帯と着物の間、帯と帯の間、帯の結び目に差し込み装着し、華やか、可愛らしさを小物により強調をする。
【００１３】本発明の和服用装身具小物の芯入り布袋の芯板部分の素材は、紙、化学製品、木材などの自然素材など、芯板に適すると思われる素材である。
【００１４】本発明の上部正面に配置する上部正面装飾部材の材料は、装飾に適すると思われる素材を使用する。
【００１５】本発明の上部正面に配置する上部正面装飾部材の材料は、造花のみでなく、複合的素材活用をもって使用する。
【符号の説明】
【００１６】１  タッセル
２  造花  大
３  造花  小
４  プラスチック装飾品
５  ガラス装飾品
６  金属装飾品
７  リボン
８  レース
９  芯板入り布袋
９ａ  芯板（紙、プラ材、木、石など）
１０  装飾物固定材
１１  背面帯装着
１２  背面下部装着１
１３  背面下部装着２
１４  和服胸元装着
１５  帯胸元装着
【図１】
2013000572.tif 000003
【図２】
2013000572.tif 000004
【図３】
2013000572.tif 000005
【図４】
2013000572.tif 000006
(57)【要約】【課題】震災時テーブルの下に逃げ込んでも家屋と一緒に倒壊する可能性があり、頑丈なテーブルでも床が抜ければ転倒し危険である、もし助かっても、水、食料、明かりや情報も無かった場合、何日も救助を待つことは命に係わる問題である。【解決手段】天板となる金属板の端をＵ型に折り曲げ又は溶接で継ぎ足し天板の高さを増すことにより強度を上げ、その空間に非常用品を収納できる構造にし、４本脚の下に金属の底板を取り付け、筐体にする事により強度と安定性が増すシェルター型テーブル。【選択図】図１
2013000576.tif 000002
【特許請求の範囲】
【請求項１】
天板をＵ型に折り曲げ又は溶接で継ぎ足す事により強度を持たせ、その空間に非常用品を収納出きる構造としたシェルター型テーブル。
【請求項２】
天板の四隅に脚４本を設け、その下に底板を取付けることにより強度と安定性を増した請求項１記載のシェルター型テーブル。
【発明の詳細な説明】
【技術分野】
【０００１】本発明は、震災時に身を守るためのシェルター型テーブルに関するものである。
【背景技術】
【０００２】従来、震災時、テーブル等の下に潜り込んでも家屋と一緒に倒壊する危険があり助かったとしても、救助を何日も待たなければいけない。
【先行技術文献】
【０００３】
【特許文献１】特許公開２０１１−９２６６２
【特許文献２】特許公開２００６−１２２０９７
【発明の概要】
【発明が解決しようとする課題】
【０００４】テーブルも家屋と一緒に倒壊する可能性があり、頑丈なテーブルでも床が抜ければ転倒し危険である、もし助かっても、水、食料、明かりや情報も無かった場合何日も救助を待つことは命に係わる問題である。
【課題を解決するための手段】
【０００５】天板となる金属板の端をＵ型に折り曲げ又は溶接で継ぎ足し天板の高さを増すことにより強度を上げ、その空間に非常用品を収納できる構造にした、また天板の四隅に脚４本を設けその下に金属の底板を取り付け筐体にする事で強度と安定性が増すようにしたものである。
【発明の効果】
【０００６】本発明により身の安全を確保でき、非常用品を使用することにより長期間救助を待つ事ができる。
【図面の簡単な説明】
【０００７】
【図１】本発明の斜視図
【図２】本発明の断面図
【発明を実施するための形態】
【０００８】以下、本発明の実施の形態を説明する。
（イ）天板（１）と溶接された側板（６）の穴で脚（２）４本をボルト・ナットで組込む。
（ロ）底板（３）に穴付の凸部（７）を設け、脚（２）をそれに差込みボルト・ナットで組込む。
（ハ）天板（１）、側板（６）と脚（２）の穴で補強（４）を８箇所組込む。
本発明は以上のような構造である。
本発明を使用するときは、全てボルト・ナットを使用した組立て方式のため任意の場所に設置でき、独立式の４本脚のため非常時には、どの方向からでも逃げ込める
【符号の説明】
【０００９】１  天板、２  脚、３  底板、４  補強、５  ボルト・ナット、６  側板、７  凸部、８  取手、９  非常用品
【図１】
2013000576.tif 000003
【図２】
2013000576.tif 000004
(57)【要約】【課題】  被痴呆介護者の、時間に関係なく徘徊する行為を無くし、健康維持の歩行運動が出来て、本人の健康および介護する人々の負担軽減に寄与する。【解決手段】  特別擁護老人ホーム等の施設内から施設外庭にかけて、門型軽量鉄骨構造体（７）を形成し、これに天吊軽量チャンネル・パイプ・Ｈ鋼等（２）を施工して設ける。そしてこの該チャンネル・パイプ・Ｈ鋼等に牽引トロリー（１）をスムーズに動けるようにして設ける。つぎに、牽引トロリー（１）にぶら下げてハンドラー（５）を設ける。そして最後に制御ボックス（６）を適当なる場所に設け、これら全体に配線を施す。【選択図】図１
2013000573.tif 000002
【特許請求の範囲】
【請求項１】
特別擁護老人ホーム等の施設内から施設外庭にかけて、門型軽量鉄骨で形成された、天吊軽量チャンネル・パイプ・Ｈ鋼等（２）を施工して設ける、そしてこの該チャンネルに、牽引トロリー（１）をスムーズに動けるようにして設ける、つぎに、牽引トロリー（１）にぶら下げてハンドラー（５）を設ける、そして最後に制御ボックス（６）を適当なる場所に設け、これら全体に配線を施した特徴よりなる、被痴呆介護者用歩行運動装置。
【発明の詳細な説明】
【技術分野】
【０００１】  本発明は、介護施設内での徘徊する被介護痴呆者の為の、歩行運動に関する補助技術である。
【背景技術】
【０００２】  従来は、介護施設内を時間や場所に関係なく、被介護痴呆者は徘徊をしていた。
【発明の開示】
【発明が解決しようとする課題】
【０００３】  現在、介護施設では徘徊する被介護痴呆者の管理が大変なテーマであった。常時、介護者は徘徊する痴呆老人等の行動に目を離せなかった。この為に、夜中であろうと、徘徊者の付き添いの介護をする事になる。最近では特許の公開公報で、徘徊者に電波発信器を持たして、介護人が数人の徘徊者の行動を監視する、装置とかが出願公開されている。しかしながら、徘徊者を放置する訳にはいかず、ベッド等に連れ戻したりする必要がある。連れ戻しても、またまた徘徊する老人等は普通であり、あとを絶たない、なんともその介護には苦労する。
これら課題を解決するために本発明はなされたのである。
【課題を解決するための手段】
【０００４】  本発明によると被介護痴呆者は徘徊に於いて、少し運動になった場合は、介護人がベッドに連れ戻すと、そのまま朝までグッスリと寝てしまう事に気が付いたのである。それで本発明は、被介護痴呆者用に徘徊スタイルで歩行運動が可能なものを簡単な構造構成で形成する事になった。以下解決手段を説明する。まず特別擁護老人ホーム等の施設内の廊下、室内空間に、門型軽量鉄骨構造体（７）を設け、これに天吊軽量チャンネル・パイプ・Ｈ鋼等（２）を設ける。また施設外部の散歩道にも、施設内から連動させて門型軽量鉄骨構造体（７）を設置して、これにも天吊軽量チャンネル・パイプ・Ｈ鋼等（２）を設ける。このように設置施工した該チャンネルに、牽引トロリー（１）を利用者数の数だけ装着して設ける。この牽引トロリー（１）は、進行方向に電動モーターで駆動する。つぎにこの牽引トロリー（１）にぶら下げて、ハンドラー（５）を設ける。このハンドラー（５）は被痴呆介護者（３）の腰部と肩部を固定して、歩行運動の際の体を支持して安全を図るものである。つぎに、施設事務所に制御ボックス（６）を設置して、これら全体に配線を施工して設ける。  本発明は、以上のような構成および特徴よりなる、被痴呆介護者用歩行運動装置である。
【発明の効果】
【０００５】  各部屋の被痴呆介護者（３）に、一定のスケジュールで歩行運動をさせる事が出来運動後は、被痴呆介護者はよく寝るようになり、健康に寄与した。また介護人の苦労が軽減した。
【発明を実施するための最良の形態】
【０００６】  図１のごとく構造構成は極めてシンプルに形成されている。まず特別擁護老人ホーム等の施設内の廊下、室内空間に、門型軽量鉄骨構造体（７）を設け、これに、天吊軽量チャンネル・パイプ・Ｈ鋼等（２）を設ける。さらに徘徊者を施設の外の散歩道にも、行かしてあげたいので、施設内から外部へ連続につなげて門型軽量鉄骨構造体（７）を設置して、これにも天吊軽量チャンネル・パイプ・Ｈ鋼等（２）を設ける。
つぎに設置施工した、この天吊軽量チャンネル・パイプ・Ｈ鋼等（２）に、牽引トロリー（１）を利用者の数だけ装着して設ける。この牽引トロリー（１）は進行方向には軽くスムーズに動くようにしてある。また被痴呆介護者（３）は後方に、つまりバック方向には行けなくなっている。さらに左右にも行けないのである。そして電動モーターにより強制的に、前進させることが出来るので、痴呆利用者は一定の間隔で、ぶつかる事もなく歩行運動が達成できるようにしてある。次に、この牽引トロリー（１）にぶら下げて、ハンドラー（５）を装着して設ける。このハンドラー（５）は被痴呆介護者（３）の腰部から肩にかけて固定して、歩行運動の際の体を安全に支持するものである。
さらに、これら牽引トロリー（１）の速度や停止等を制御する、制御ボックス（６）を施設事務所に設置して、そして最後に、これら全体に配線を施工して設ける。
本発明は以上のような構成であり、これを使用せんとするときには、【０００７】  スケジュール管理表等により、歩行運動が必要な、その被痴呆介護者（３）を選び介護ルーム（４）に於いて、利用者の腰部から肩にかけてハンドラー（５）を装着する。
そして自力歩行運動にするか、電動モーターで強制歩行運動にするか、介護人により決定されて、施設内から徘徊気分で歩行運動が始まる。制御ボックス（６）を使用する場合は、牽引トロリー（１）の速度等を適正にコントロールする事ができるので安全管理に寄与する。そして歩行運動は施設外部の庭園等の散歩道にも行けるので、被痴呆介護者（３）にとっては精神的にも、健康的な開放感を味わう事ができると思う。このようにして、利用者は何人でも一度に安全に、歩行運動ができ介護ルーム（４）に戻ってきた頃には、十分な適正の運動になり、ハンドラー（５）から開放された利用者は、次々と介護ルーム（４）で快適な睡眠がとれるのである。
【図面の簡単な説明】
【０００８】
【図１】  本発明の構成図である。
【符号の説明】
【０００９】１  牽引トロリー
２  天吊軽量チャンネル・パイプ・Ｈ鋼等
３  被痴呆介護者
４  介護ルーム
５  ハンドラー
６  制御ボックス
７  門型軽量鉄骨構造体
【図１】
2013000573.tif 000003
(57)【要約】【課題】  鍋料理で、野菜や茸類などと一緒に、小鯛や鯵のような魚をいれて、しかも小骨の心配をしないで安心して野菜などが食べられる調理用容器を提供する。【解決手段】  内臓を取り除いた魚を、小さい穴が多数あいた容器に入れ鍋料理を作れば、野菜や茸類など雑多な物と一緒に煮て掻き回しても、小骨の心配をしないで安心して野菜などが食べられる。ということを特徴とする調理用容器である。【選択図】図４
2013000566.tif 000002
【特許請求の範囲】
【請求項１】
鍋料理で、野菜や茸類など雑多な物と一緒に魚を調理する際、内臓を取り除いた小鯛や鯵などを、小さい穴を多数あけた容器に入れることで、魚の小骨を鍋の中に残さずに調理できるという点を特徴とする調理用容器。
【発明の詳細な説明】
【技術分野】
【０００１】  本発明は、鍋料理で、野菜と魚を同時に煮ても野菜に魚の骨が混ざらない工夫をした、調理用容器である。
【背景技術】
【０００２】  従来、魚を入れた鍋料理といえば、鱈、鮟鱇、鮭などの魚で小骨の無い箇所を主に使っていた。
【発明の開示】
【発明が解決しようとする課題】
【０００３】  そのために、次のような問題点があった。
（１）鍋料理に小鯛や鯵などを入れると、とてもおいしい味が出ているのに、鍋の中の白菜などを食べる時、小骨が混じっていないか、小骨を捜しながら白菜などを食べるので、せっかくのおいしさが半減した。
（ロ）魚を使った鍋料理を子供と一緒に食べる時、野菜などに小骨が混じっていないか、とても気にしながら食事をしていた。
本発明は、これらの問題点を解決するためになされたものである。
【課題を解決するための手段】
【０００４】  鍋料理で、内臓を取り除いた魚を、多数の小さい穴のあいた専用容器に入れ、野菜や茸類と一緒に煮ても、魚の小骨が野菜などに混ざらないようにした。以上を特徴とする調理用容器である。
【発明の効果】
【０００５】  鍋の中に魚のだしが出ておいしく食べられ、また野菜や茸なども小骨の心配をしないで、安心して食べることができる。
【発明を実施するための最良の形態】
【０００６】  以下、本発明の実施の形態について説明する。
鍋料理をするとき、内臓を取り除いた魚を専用容器に入れることにより、煮崩れしても小骨の心配をしなくてもよいので、鍋の中を掻き回しても安心して野菜等を食べることができ、また容器をあけて魚も食べることができる。
【図面の簡単な説明】
【０００７】
【図１】  本発明の斜視図
【図２】  図１Ａ−Ａの断面図
【図３】  図１Ａ−Ａの断面図
【図４】  本発明の展開図
【図５】  本発明の側面図
【符号の説明】
【０００８】１    留め具
２    継ぎ手部
【図１】
2013000566.tif 000003
【図２】
2013000566.tif 000004
【図３】
2013000566.tif 000005
【図４】
2013000566.tif 000006
【図５】
2013000566.tif 000007
(57)【要約】      （修正有）【課題】いつでも、どこでも、子供から老人まで誰でも、一人でも、大勢でも、ゴルフを楽しめるゲーム器を提供する。【解決手段】ゲーム器本体１のコースに穴５あるいは凹凸部を多数設けて、ボールを転がしたとき、ボールの停止位置がはっきりわかるようにして、ゲーム器でも十分楽しく、ゴルフ競技ができるようにした。また、コースの穴５や凹凸部をいろいろの大きさや、いろいろの形状にすることにより、いろいろのコースができる。【選択図】図１
2013000570.tif 000002
【特許請求の範囲】
【請求項１】
ゴルフコースに、ホールの穴（３）とバンカーの穴（４），それに、ボールの停止位置がはっきりわかるようにした穴（５）を設けたゲーム器。
【請求項２】
ゴルフコースに、１打毎に打ち出し箇所の穴（２）側に、ホールが移動するホールの穴（３）と、バンカーの穴（４）を設けたゲーム器。
【請求項３】
ゴルフコースに、ホールの凹部（６）とバンカーの凹部（７）、それに、ボールの停止位置が、はっきりわかるようにした凹凸部（８）を設けたゲーム器。
【請求項４】
ゴルフコースに、連なったホールの穴（１２）と、ボールの進行方向変換穴（１１）を設けたゲーム器。
【発明の詳細な説明】
【技術分野】
【０００１】本発明は、子供から大人まで楽しめるように、ゲーム器のゴルフコースに穴あるいは凹凸部を多数設けて、ボールの停止位置がはっきりわかるようにし、どこでもゲームができるようにしたものである。
【背景技術】
【０００２】従来は、ゴルフコースに穴あるいは凹凸部を多数設けて、ボールの停止位置がはっきりわかるようにしたゲーム器はなかった。
【先行技術文献】
【特許文献１】
【０００３】
【発明の概要】
【発明が解決しようとする課題】
【０００４】ゴルフは、ゴルフ場に行かないとゲウムができないが、本発明は、いつでもどこでもだれでもゲームができるようにするためになされたものである。
【課題を解決するための手段】
【０００５】ゲーム器本体１のコースに穴５あるいわ凹凸部８を多数設けて、ボール１３を転がしたとき、ボール１３の停止位置がわかるようにした。また、コースの穴５あるいは凹凸部８を、いろいろの大きさやいろいろの形状にすることにより、いろいろのコースができる。
【発明の効果】
【０００６】ゴルフコースに穴（５）や凹凸部（８）を、つくるだけなので、製造が簡単、工夫しだいで、いろいろのコースがつくれる。いつでも、どこでも、子供から老人まで誰でも、一人でも、大勢でも楽しむことができる。
ホールの穴（３）の大きさを変えることにより、ボール（１３）をホールの穴（３）の上に止まりやすくしたり、止まりにくくしたりできる。
穴を大きくして、バンカーの穴（４）にすることもできる。
１打毎にホールが打ち出し箇所の穴（２）に、近ずいてゆく、ホールの穴（３）移動タイプ、ホールの穴（３）が移動しないホールの穴（３）固定タイプなど、いろいろのコースができる。
ゲーム器本体（１）の打ち出し箇所の穴（２）側を高くすると、追い風のように、逆に、低くすると、向かい風のようにすることができる。
ボール（１３）が穴の縁をころがると、ボール（１３）の進行方向が変わるのを利用したボールの進行方向変換穴（兼バンカー）（１１）を設けて、その先に、連なったホールの穴（１２）を設け、ボールの進行方向変換穴（兼バンカー）（１１）の近くのホールの穴は、点数を多く、ボールの進行方向変換穴（兼バンカー）（１１）から離れているホールの穴の点数は、少なくして、点数の多いホールの穴をめがけて、ボール（１３）を、転がし、点数を競うようにすることができる。
【図面の簡単な説明】
【０００７】
【図１】本発明の平面図である。
【図２】バンカーの穴とホールの穴だけの本発明の平面図である。
【図３】コースに凹凸部をつけた本発明の断面図である。
【図４】連なったホールの穴とボール進行方向変換穴をつけた本発明の平面図である。
【発明を実施するための形態】
【０００８】以下本発明の実施の形態について説明する。
【実施例１】図１はホールの穴（３）をねらってボールを転がすゲーム器本体（１）の平面図ですが、ホールの穴（３）やバンカーの穴（４）、それに、ボールの停止位置がわかるようにするための穴を多数設ける。ホールの穴（３）やバンカーの穴（４）は、大きさをいろいろ変えることにより、いろいろのコースができる。
【実施例２】図２はゲーム器本体（１）の先端側に、バンカーの穴（４）を設け、バンカーの穴（４）と打ち出し箇所の穴（２）の間に、１打毎にホールの穴（３）が打ち出し箇所の穴（２）側に移動するホールの穴（３）を設けたものである。
【実施例３】図３はゲーム器本体（１）のゴルフコースの表面に凹凸部をつけ、ホールを凹部（６），バンカーを凹部（７）にしたものである。
【実施例４】図４は、ゲーム器本体（１）のコースに、連なったホールの穴（１２）のとなりにボール進行方向変換穴（１１）を設けたものである。
【符号の説明】
【０００９】１    ゲーム器本体
２    打ち出し箇所の穴
３    ホールの穴
４    バンカーの凹部
５    穴
６    ホールの凹部
７    バンカーの凹部
８    凹凸部
９    打ち出し箇所の凹部
１０  ボールの軌跡
１１  ボールの進行方向変換穴
１２  連なったホールの穴
【図１】
2013000570.tif 000003
【図２】
2013000570.tif 000004
【図３】
2013000570.tif 000005
【図４】
2013000570.tif 000006